(57)【要約】【課題】インターネットを介したウエブページの情報収集において、キーワードが含まれたホームページの効率的な情報収集装置を提供する。【解決手段】指定されたホームページの複数階層にわたって文字データをダウンロードし、そのダウンロードした文字データファイルについて予め設定されたキーワードによる検索を行い、前記文字データファイルの日付が既登録データと照合して不一致の場合に、キーワード検索でヒットしたホームページ全体をダウンロードし、ダウンロードしたホームページの変更内容について、関係ユーザにメールにて通知する。また、キーワードがヒットしたホームページについて、ヘッドラインを編集しニュースとして配信する。【選択図】      図１
2005031867.tif 000002
【特許請求の範囲】
【請求項１】
インターネットを介したウエブ情報収集装置において、
指定されたホームページを複数階層にわたって巡回し、前記ホームページ上の文字データを自動的にダウンロードするウエブ巡回手段と、
前記文字データをホームページ毎にファイルとして格納する文字データファイル格納手段と、
前記ウエブ巡回手段によってダウンロードした文字データファイルを予め設定されたキーワードによって検索するキーワード検索手段と、
前記文字データファイルの日付が既登録データを参照して不一致の場合に、前記キーワード検索の結果、キーワードがヒットしたホームページ全体をダウンロードするホームページダウンロード手段と、
ダウンロードした前記ホームページの更新または新規内容の情報を関係ユーザに自動通知する情報通知手段と
を有することを特徴とするウエブ情報収集装置。
【請求項２】
前記ウエブ巡回手段では、前記キーワード検索手段においてキーワードがヒットしたホームページだけを対象に、次回以降、巡回させることを特徴とする請求項１記載のウエブ情報収集装置。
【請求項３】
インターネットを介したウエブ情報収集方法において、
指定されたホームページを複数階層にわたって巡回し、前記ホームページ上の文字データを自動的にダウンロードするウエブ巡回ステップと、
前記文字データをホームページ毎にファイルとして格納する文字データファイル格納ステップと、
前記ウエブ巡回ステップによってダウンロードした文字データファイルを予め設定されたキーワードによって検索するキーワード検索ステップと、
前記文字データファイルの日付が既登録データを参照して不一致の場合に、前記キーワード検索の結果、キーワードがヒットしたホームページ全体をダウンロードするホームページダウンロードステップと、
ダウンロードした前記ホームページの更新または新規内容の情報を関係ユーザに自動通知する情報通知ステップと、
を有することを特徴とするウエブ情報収集方法。
【発明の詳細な説明】
【０００１】
【発明の属する技術分野】
本発明は、キーワードが含まれたホームページを情報収集し、キーワード検索の結果、新規、あるいは変更のあったホームページを関係者にメール配信する技術に関する。
【０００２】
【従来の技術】
インターネットの普及に伴い、インターネット上にあるＷＷＷ（Ｗｏｒｌｄ  Ｗｉｄｅ  Ｗｅｂ：ワールドワイドウエブ、以下ウエブと表現）サイトから、Ｇｏｏｇｌｅに代表される検索エンジンを利用することで所望のウエブ情報を収集することが一般に行なわれている（  例えば、非特許文献１参照）。
【０００３】
しかしながら、従来、検索エンジンにおいてキーワード検索する場合、参照しきれない程の膨大なホームページがヒットしてしまう。また、条件を追加していくと、参照したいホームページがヒットしないことが多いなどの問題を抱えていた。
さらに、キーワード検索でヒットしたホームページをダウンロードすると、参照したくないホームページもダウンロードされるため、処理時間がかかり、所望の情報の特定が直ぐにできない。また、更新していないホームページも再確認せざるを得ず、欲しい情報がなかなか参照できない。さらには、グループに属し共同作業を行う複数の利用者が、同一のホームページを参照して、同じ内容を確認しているなど大変不効率なことを行っていた。
【０００４】
【非特許文献１】
日経ＢＰ社「日経パソコン」２００１年新春特集号、Ｎｏ．３７６（９２〜１１５頁）
【０００５】
【発明が解決しようとする課題】
そこで、上記した問題を解決するため、本発明では、キーワード指定されたホームページの複数階層にわたってキーワードが含まれているページを参照し、キーワード検索でヒットしたホームページが改版されていればユーザに通知する（キーワードが含まれていても以前にホームページを参照していれば参照範囲外にする）。また、キーワード検索で、改版、新規のホームページが判っても、本当に参照したいホームページは少ない。そのため、一人がホームページを確認して、内容（  ヘッドライン）  をまとめ、その内容を関係者にメール配信し、ホームページの参照時間を減らすことを目的とする。
【０００６】
【課題を解決するための手段】
第一の発明は、インターネットを介したウエブ情報収集装置において、指定されたホームページを複数階層にわたって巡回し、前記ホームページ上の文字データを自動的にダウンロードするウエブ巡回手段と、前記文字データをホームページ毎にファイルとして格納する文字データファイル格納手段と、前記ウエブ巡回手段によってダウンロードした文字データファイルを予め設定されたキーワードによって検索するキーワード検索手段と、前記文字データファイルの日付が既登録データを参照して不一致の場合に、前記キーワード検索の結果、キーワードがヒットしたホームページ全体をダウンロードするホームページダウンロード手段と、ダウンロードした前記ホームページの更新または新規内容の情報を関係ユーザに自動通知する情報通知手段と、を有することを特徴とするウエブ情報収集装置に関する。
【０００７】
すなわち、第一の発明によれば、ウエブ巡回手段によって、予め指定されたホームページの複数層を巡回してテキストデータをダウンロードし、そのダウンロードしたテキスト内をキーワード検索し、検索の結果、キーワードが存在したホームページ全体をダウンロードし、かつ更新日付をチェックすることで、改版、あるいは新規のホームページに対し、ユーザに自動通知するような構成とした。
【０００８】
これによって、指定範囲（  ダウンロードファイル）  内でキーワード検索が出来るため、必要なホームページを簡単に探すことができ、また、指定したホームページの複数階層で、指定キーワードが含まれたホームページの表示を行い、ホームページが改版された場合、新規登録されたホームページのみ通知するため、変更が無いホームページを参照しなくてもよく、検索の処理時間が大幅に短縮できる。
【０００９】
第二の発明は、前記ウエブ巡回手段では、前記キーワード検索手段においてキーワードがヒットしたホームページだけを対象に、次回以降、巡回させることを特徴とする上記第一の発明に記載のウエブ情報収集装置に関する。
すなわち、第二の発明によれば、初回の巡回によるダウンロードファイルでキーワード検索にヒットしたホームページだけを対象に、次回以降、巡回させることになるため、巡回処理時間が大きく短縮され、トータルなウエブ情報収集の管理工数の削減となる。
【００１０】
【発明の実施の形態】
以下、図面にもとづいて本発明の実施形態を説明する。
図１は、本発明の基本システム構成を示す。本発明のシステムは、インターネット３を介して、これに接続する複数の情報提供サーバ（図示していない）からホームページの情報を収集するウエブ情報収集装置１と、ホームページの場所を表すＵＲＬ（Ｕｎｉｆｏｒｍ  Ｒｅｓｏｕｒｃｅ  Ｌｏｃａｔｏｒｓ  ）の設定、キーワード設定、検索結果確認、およびニュース投稿等、前記ウエブ情報端末１とＬＡＮ（Ｌｏｃａｌ  Ａｒｅａ  Ｎｅｔｗｏｒｋ）で接続され、ウエブ情報巡回及び検索にあたっての環境設定の入力を行う複数のユーザ端末２とで構成され、グループ内で収集したウエブ情報を共有して管理するシステムとなっている。
【００１１】
また、ウエブ情報収集装置１は、指定したホームページ巡回のためのＵＲＬ管理データベース１０と、ユーザが入力した巡回条件、キーワード条件等ウエブ情報の巡回、検索のための環境条件を保持しておく環境設定ファイル１１と、巡回条件取得手段１２と、指定したＵＲＬにしたがってインターネットに接続する情報提供サーバにアクセスし、ホームページの複数層にわたって巡回して文字データ（拡張子指定）を自動的にダウンロードするウエブ巡回手段１３と、前記文字データをホームページ毎に格納する文字データファイル格納手段１４と、そのダウンロードした文字データファイルを格納するダウンロードフォルダ１５と、格納したダウンロードファイルを予め設定されたキーワードによって検索するキーワード検索手段１６と、キーワード検索の結果、そのヒットした情報を格納するヒット情報データベース１７と、ヒットしたホームページ全体をダウンロードするホームページダウンロード手段１８と、そのダウンロードしたファイルの内、変更、あるいは新規情報があれば、その更新情報を関係ユーザに通知する情報通知手段１９とで構成される。
【００１２】
ここで、ウエブ情報収集装置１は、コンピュータであり、予め内蔵されたプログラムがコンピュータ上で実行され、巡回条件取得手段１２、ウエブ巡回手段１３、文字データファイル格納手段１４、キーワード検索手段１６、ホームページダウンロード手段１８、および情報通知手段１９の各手段が実現される。そして、当該プログラムは、フロッピーディスク、コンパクトディスク、ＣＤ−ＲＯＭ等のコンピュータ読取可能な記録媒体に記録され、とくに図には示していないが、内蔵あるいは、外部接続された媒体読取装置にセットしインストールすることによって実行可能な状態としてもよい。
【００１３】
以下の実施例では、ウエブ情報収集の一例として、「不具合情報の収集」を例に取り上げて説明する。
図２は、本発明の実施の形態になるＵＲＬ管理データベースのデータ構成例を示す図である。ＵＲＬ管理データベース１０のデータ構成は、インターネットのウエブページの場所を表すＵＲＬ、会社名、ＵＲＬの登録日、巡回の収集停止（巡回してヒットしなければ停止）、ＵＲＬの収集日時、セキュリティ付きサイトアクセス時の認証ＩＤ、認証パスワード、ＵＲＬの巡回すべき階層数、初回収集（１又は０で表現）、および更新日時等の項目からなる。
【００１４】
図３は、本発明の実施の形態になるヒット情報データベースのデータ構成例を示す図である。本ヒット情報データベース１７には、ダウンロードしたホームページの内、文字データをキーワード検索してヒットした指定拡張子のファイルから、後述する関係ユーザに内容を通知する（ニュース投稿）データとしての加工情報を保持しておく。
【００１５】
ヒット情報データベース１７のデータ構成は、キーワードヒット有無、キーワードヒット数、総数、習得数、不可数、タイトル、およびヘッドラインの項目からなる。キーワードヒット有無は、１キーワードに対し、ヒットの有無は１又は０で表現する。例えば、キーワード列数が８個であれば、各キーワードに対応して、００１０００１０で表され、合計ヒット数は２件とカウントされる。総数、習得数、不可数は、検索対象としたＵＲＬ数を示す。タイトルは、＜ＴＩＴＬＥ  ＞の表記であり、表記がなければタイトルなしとなる。また、ヘッドラインは、キーワードがヒットしたテキストの頭からの文字数（例えば、１００字等）を抽出して表現したものである。
【００１６】
つぎに、本発明になるウエブ情報の収集を実施するにあたり、予めのウエブ巡回の設定項目について、図４〜図７を使って説明する。
図４は、本発明の実施の形態になる初期メニュー画面の例を示す図である。初期メニュー画面は、三つの画面領域１０１、１０２、および１０３で構成されている。
【００１７】
画面領域１０１は、これまで検索されたＵＲＬリストについて、会社名、ＵＲＬ、更新日、およびヒット数の項目に対するデータが表示される。□はチェックボックスであり、ブランクは巡回を必要とし、×印は巡回の対象外として処理されたことを表す。これは、画面領域１０３の各設定ニューでユーザによって選択された結果が反映される。
【００１８】
ＵＲＬは、（プロトコル名）：／／（ドメイン名）／（ファイル名）で表される。図中、ｈｔｔｐ：／／ｗｗｗ．ａａａ．ｃｏｍ／ｉｎｄｅｘ．ｈｔｍは、会社ＡＡＡのトップホームページのＵＲＬであり、ｈｔｔｐ：／／  は、ウエブのクライアントが情報提供サーバと通信するＨＴＴＰ（ＨｙｐｅｒＴｅｘｔ  Ｔｒａｎｓｆｅｒ  Ｐｒｏｔｏｃｏｌ  ）というプロトコルを使った送信命令を表し、続くｗｗｗ．ａａａ．ｃｏｍ  は、ホームページが保存してあるインターネット上のＷＷＷサーバの名前を表し、ｉｎｄｅｘ．ｈｔｍ  は、ホームページのトップページを表している。また、（．ｈｔｍ）は、ホームページを記述する言語ＨＴＭＬ（ＨｙｐｅｒＴｅｘｔ  Ｍａｒｋｕｐ  Ｌａｎｇｕａｇｅ）によるファイルの拡張子を表している。
【００１９】
ｈｔｔｐ：／／ｗｗｗ．ａａａ．ｃｏｍ／ｘｘｘ１／ｉｎｄｅｘ．ｈｔｍ    や  ｈｔｔｐ：／／  ｗｗｗ．ａａａ．ｃｏｍ／ｘｘｘ１／ｐｒ．ｈｔｍは、２階層目や３階層目のウエブページを表している。
画面領域１０１のＵＲＬリストにおいて、例えば、ＵＲＬ［ｈｔｔｐ：／／ｗｗｗ．ａａａ．ｃｏｍ／ｘｘｘ１／ｉｎｄｅｘ．ｈｔｍ  ］のウエブページは、キーワード検索の結果、ｙｙｙｙ年ｍｍ月ｄｄ日に、５件のヒットがあったことを示している。
【００２０】
また、画面領域１０２には、不具合情報、新製品情報、技術情報等のアイテムが表示される。本実施例では、不具合情報が表示されている。
さらに、画面領域１０３には、ＵＲＬ追加（ＵＲＬ、階層、識別子の設定）、ＵＲＬ削除（ＵＲＬリスト、フォルダからのデータ削除）、収集停止・再開（ＵＲＬ毎に収集停止・再開を指示）、収集スケジュール（実行日／曜日／時刻設定）、キーワード設定（ダウンロードデータに対する検索キーワードの設定）、およびニュース投稿等、ユーザが入力すべき検索環境の設定メニューが表示される。各メニューボタンをマウスによってクリックすることで、各設定画面が表示され、該表示画面においてユーザによる入力が行われる。
【００２１】
設定メニューの内、まず、ＵＲＬ追加およびＵＲＬ削除は、ＡＡＡ、ＢＢＢなどの会社のトップホームページ単位でページを追加したり、削除したりする設定機能である。
以下に、他のメニューの機能について説明する。
図５は、本発明の実施の形態になる環境設定の画面例（キーワード設定）を示す。例えば、キーワード列１は、「不具合  ａｎｄ  コンデンサ  ａｎｄ  ＬＳＩ」の検索式を検索キーワードとして検索することを表している。
【００２２】
図６は、本発明の実施の形態になる環境設定の画面例（収集停止・再開設定）を示す。ＵＲＬリストから、収集停止／再開を指示、収集停止したＵＲＬのファイルは、一旦検索対象フォルダの外に移動させ、再開時、検索対象に戻す。前回ヒットの実績が０のものに対し、チェックボックス□に×を入れることで、そのファイルは、巡回収集の対象からはずされる。チェックを全て選択して、最後に収集停止／再開画面の選択画面を表示して、ヒット件数０件のＵＲＬを一括して収集停止することができる。
【００２３】
図７は、本発明の実施の形態になる環境設定の画面例（収集スケジュール設定）を示す。設定項目としては、全巡回周期、差分巡回周期、巡回時刻、収集対象ファイル、および検索階層が表示される。全巡回周期では、毎回、月、週に収集する回数を設定し、差分巡回では、前回検索との比較において、変更分だけを抽出して巡回する場合の設定を行う。本画面例では、全巡回を選択し、１回／週，曜日指定は月曜日、巡回時刻は、１時００分，収集対象ファイルは、ｈｔｍ／ｈｔｍｌ、ｔｘｔ、ｄｏｃ、ｘｌｓの拡張子を指定し、および巡回検索の深さである階層は３階層となるように収集スケジュールを設定している。
【００２４】
ここで、ｈｔｍ／ｈｔｍｌはホームページの記述言語ＨＴＭＬの拡張子、ｔｘｔはテキスト形式の拡張子である。また、ｄｏｃはマイクロソフト社のワードの登録商標、ｘｌｓはマイクロソフト社のエクセルの商標登録、およびｐｄｆはアドビー社の登録商標のそれぞれの拡張子である。
図８は、本発明の実施の形態になる指定条件に基づくウエブ巡回のフローチャートを示す。まず、ステップＳ１１において、ユーザが入力し、保持されている環境設定ファイルから指定されたＵＲＬを読み込む。ステップＳ１２において、ウエブ巡回手段１３が、インターネットに接続する情報提供サーバのホームページを複数階層にわたって巡回し、ステップＳ１３で、指定拡張子の文字データのファイルをダウンロードし、ステップＳ１４において、ダウンロードフォルダ１５に保存する。そして、ステップＳ１５において、環境設定ファイル１１から読み込んだ指定ＵＲＬが全て終了するまで以上の処理を繰り返す。
【００２５】
全てのＵＲＬが終了した時点で次の処理フロー（▲１▼）に移る。
図９は、本発明の実施の形態になるダウンロードファイルのキーワード検索のフローチャートを示す。図８の処理を受けて、ステップＳ２１において、ダウンロードフォルダ１５を参照し、ステップＳ２２で、ダウンロードした文字データファイルが終わるまでダウンロードファイルの参照を続行する。ステップＳ２３において、収集した文字データファイルのキーワード検索を行う。ステップＳ２４で、検索条件が一致すれば、ステップＳ２５に進み、ダウンロードした個々の文字データファイルについて、前回ダウンロ−ドしたファイルとの日付をチェックする。
【００２６】
ステップＳ２６において、日付が不一致であれば、キーワード検索においてヒットしたホームページの情報について、ヒット情報データベース１７に図３のデータ構成に則って必要情報を保存する。
ステップＳ２４において、キーワ−ド条件が一致しなければ、ヒット情報データベース１７の当該ファイルのフラグをＯＦＦとする。また、ステップＳ２６で日付条件が一致しなければ、ステップＳ２５に戻ってダウンロードファイルのチェックを繰り返す。
【００２７】
以上の処理フロ−を終了したら、次の▲２▼の処理フローへと移行する。
図１０は、本発明の実施の形態になる更新ホームページ内容の自動通知のフローチャートを示す。図９の処理フロ−を受けて、ステップＳ３１において、前記ヒット情報データベース１７を参照し、ステップＳ３２で、ヒット情報データベース１７のデータがなくなるまで処理を行う。ステップＳ３３において、ヒット情報データベース１７においてダウンロードファイルのフラグがＯＮのものについて選定し、ステップＳ３４でフラグのついた指定ＵＲＬのホームページ全体をダウンロードする。そしてステップＳ３５で、ダウンロードしたＵＲＬを保存する。
【００２８】
つぎに、ステップＳ３２で、全てのデータ処理が終わったら、ステップＳ３６において、ダウンロードしたＵＲＬについて抽出し、ステップＳ３７において、ダウンロードしたＵＲＬのホームページの変更内容の情報を編集（ニュース投稿）し、関係ユーザにメールで自動通知する。
図１１は、本発明の実施の形態になる自動投稿の作成例を示す。キーワード検索および更新日付をチェックすることで、キーワードが存在したホームページ全体をダウンロードし、更新あるいは新規となったホームページについての情報を関係ユーザに自動通知する。本画面例では、自動投稿と手動投稿が選択できる画面としている。自動投稿では、例えば、キーワード列１に対しヒットしたＵＲＬ１（ｙｙｙｙ／ｍｍ／ｄｄ）、ＵＲＬ２（ｙｙｙｙ／ｍｍ／ｄｄ）・・また、キーワード列２に対しヒットしたＵＲＬａ（ｙｙｙｙ／ｍｍ／ｄｄ）、ＵＲＬｂ（ｙｙｙｙ／ｍｍ／ｄｄ）・・のＵＲＬ群が自動的にリストアップされ、関係ユーザに通知される。また、手動投稿では、フリーなスタイルでのニュース投稿画面が用意される。
【００２９】
図１２は、本発明の実施の形態になる変更内容のメール通知例を示す。変更のあったウエブページのＵＲＬ、更新日、ヒットしたキーワード、および内容についてのヘッドラインを抽出して自動的に関係ユーザにメール通知される。
以上の実施例では、主に「不具合情報」という事例を想定して記述してきたが、本発明は、もちろん、これに限定を受けるものではなく、「新製品情報」、「技術情報」、「特許情報」等、広い範囲のジャンルのウエブ情報収集に同様な手法が適用されることは言うまでもない。
【００３０】
（付記１）  インターネットを介したウエブ情報収集装置において、
指定されたホームページを複数階層にわたって巡回し、前記ホームページ上の文字データを自動的にダウンロードするウエブ巡回手段と、
前記文字データをホームページ毎にファイルとして格納する文字データファイル格納手段と、
前記ウエブ巡回手段によってダウンロードした文字データファイルを予め設定されたキーワードによって検索するキーワード検索手段と、
前記文字データファイルの日付が既登録データを参照して不一致の場合に、前記キーワード検索の結果、キーワードがヒットしたホームページ全体をダウンロードするホームページダウンロード手段と、
ダウンロードした前記ホームページの更新または新規内容の情報を関係ユーザに自動通知する情報通知手段と
を有することを特徴とするウエブ情報収集装置。
【００３１】
（付記２）  前記情報通知手段における通知情報は、ヒットしたキーワードを含む前後の文字列を抽出して自動生成されたヘッドライン情報であることを特徴とする付記１に記載のウエブ情報収集装置。
（付記３）  前記ウエブ巡回装置では、前記キーワード検索ステップにおいてキーワードがヒットしたホームページだけを対象に、次回以降、巡回させることを特徴とする付記１記載のウエブ情報収集装置。
【００３２】
（付記４）  インターネットを介したウエブ情報収集方法において、
指定されたホームページを複数階層にわたって巡回し、前記ホームページ上の文字データを自動的にダウンロードするウエブ巡回ステップと、
前記文字データをホームページ毎にファイルとして格納する文字データファイル格納ステップと、
前記ウエブ巡回ステップによってダウンロードした文字データファイルを予め設定されたキーワードによって検索するキーワード検索ステップと、
前記文字データファイルの日付が既登録データを参照して不一致の場合に、前記キーワード検索の結果、キーワードがヒットしたホームページ全体をダウンロードするホームページダウンロードステップと、
ダウンロードした前記ホームページの更新または新規内容の情報を関係ユーザに自動通知する情報通知ステップと、
を有することを特徴とするウエブ情報収集方法。
【００３３】
（付記５）  インターネットを介したウエブ情報収集プログラムにおいて、
コンピュータに、
指定されたホームページを複数階層にわたって巡回し、前記ホームページ上の文字データを自動的にダウンロードするウエブ巡回ステップと、
前記文字データをホームページ毎にファイルとして格納する文字データファイル格納ステップと、
前記ウエブ巡回ステップによってダウンロードした文字データファイルを予め設定されたキーワードによって検索するキーワード検索ステップと、
前記文字データファイルの日付が既登録データを参照して不一致の場合に、前記キーワード検索の結果、キーワードがヒットしたホームページ全体をダウンロードするホームページダウンロードステップと、
ダウンロードした前記ホームページの更新または新規内容の情報を関係ユーザに自動通知する情報通知ステップと、
を実行させるウエブ情報収集プログラム。
【００３４】
（付記６）  インターネットを介したウエブ情報収集プログラムを記録した記録媒体であって、
コンピュータに、
指定されたホームページを複数階層にわたって巡回し、前記ホームページ上の文字データを自動的にダウンロードするウエブ巡回ステップと、
前記文字データをホームページ毎にファイルとして格納する文字データファイル格納ステップと、
前記ウエブ巡回ステップによってダウンロードした文字データファイルを予め設定されたキーワードによって検索するキーワード検索ステップと、
前記文字データファイルの日付が既登録データを参照して不一致の場合に、前記キーワード検索の結果、キーワードがヒットしたホームページ全体をダウンロードするホームページダウンロードステップと、
ダウンロードした前記ホームページの更新または新規内容の情報を関係ユーザに自動通知する情報通知ステップと、
を実行させるウエブ情報収集プログラム記録したコンピュータ読取可能な記録媒体。
【００３５】
【発明の効果】
以上、説明してきたように、本発明によれば、指定したホームページの複数階層で、指定キーワードが含まれたホームページの表示を行い、ホームページが  改版された場合、新規登録されたホームページのみ通知するため、変更が無いホームページを参照しなくてもよく、検索の処理時間が大幅に短縮できる。
【００３６】
また、指定範囲（  ダウンロードファイル）  内でキーワード検索が出来るため、必要なホームページを簡単に探すことができる。
さらに、本発明によれば、担当者がホームページの内容を確認の上、ヘッドラインを変更して必要者にメールにて配信することになるため、担当者以外は、その内容（  ヘッドライン）  を確認するだけで、必要がなければホームページを参照しなくて済むため、検索に要する工数の削減が図れる。
【図面の簡単な説明】
【図１】本発明になる基本システム構成を示す図である。
【図２】本発明の実施の形態になるＵＲＬ管理データベースのデータ構成例を示す図である。
【図３】本発明の実施の形態になるヒット情報データベースのデータ構成例を示す図である。
【図４】本発明の実施の形態になる初期メニュー画面の例を示す図である。
【図５】本発明の実施の形態になる環境設定の画面例（キーワード設定）を示す図である。
【図６】本発明の実施の形態になる環境設定の画面例（収集停止・再開設定）を示す図である。
【図７】本発明の実施の形態になる環境設定の画面例（収集スケジュール設定）を示す図である。
【図８】本発明の実施の形態になる指定条件に基づくウエブ巡回のフローチャートを示す図である。
【図９】本発明の実施の形態になるダウンロードファイルのキーワード検索のフローチャートを示す図である。
【図１０】本発明の実施の形態になる更新ホームページ内容の自動通知のフローチャートを示す図である。
【図１１】本発明の実施の形態になる自動投稿の作成例を示す図である。
【図１２】本発明の実施の形態になる変更内容のメール通知例を示す図である。
【符号の説明】
１  ウエブ情報収集装置
２  ユーザ端末
３  インターネット
１０  ＵＲＬ管理データベース
１１  環境設定ファイル
１２  巡回条件取得手段
１３  ウエブ巡回手段
１４  文字データファイル格納手段
１５    ダウンロードフォルダ
１６  キーワード検索手段
１７  ヒット情報データベース
１８  ホームページダウンロード手段
１９  情報通知手段
【図１】
2005031867.tif 000003
【図２】
2005031867.tif 000004
【図３】
2005031867.tif 000005
【図４】
2005031867.tif 000006
【図５】
2005031867.tif 000007
【図６】
2005031867.tif 000008
【図７】
2005031867.tif 000009
【図８】
2005031867.tif 000010
【図９】
2005031867.tif 000011
【図１０】
2005031867.tif 000012
【図１１】
2005031867.tif 000013
【図１２】
2005031867.tif 000014